(57)【要約】      （修正有）【課題】排熱焚き再生器や直焚き再生器の温度異常による運転の停止や、吸収液の晶析、再生器の腐蝕などの発生を抑え、信頼性を向上できる吸収式冷温水機を提供する。【解決手段】直焚き再生器３のバーナ３ａは、燃焼量を増減可能であり、制御手段１３は、第１の温度検出手段２５で検出した温度と第３の温度検出手段２７で検出した温度とから演算した導入流路１５と排出流路１７との温度差、及び差圧検出手段２９で検出した導入流路１５と排出流路１７との差圧に基づいて排熱焚き再生器１への入熱量を演算し、演算した排熱焚き再生器１への入熱量と第２の温度検出手段５７で検出した熱媒体の温度とに応じて流路開閉手段２１の開閉及びバーナ３ａの燃焼量の増減を制御する構成とする。【選択図】図１
2006090682.tif 000002
【特許請求の範囲】
【請求項１】
排熱を発生する機器からの排熱を熱源とする排熱焚き再生器と、該排熱焚き再生器へ熱源となる排熱を有する流体または排熱を回収した流体を導く導入流路と、前記排熱焚き再生器から熱源となる流体を排出する排出流路と、前記導入流路及び前記排出流路の少なくとも一方に設けられて前記排熱焚き再生器への熱源となる流体の通流及び遮断を制御する流路開閉手段と、前記導入流路の温度を検出する第１の温度検出手段と、前記導入流路と前記排出流路との差圧を検出する差圧検出手段と、バーナの燃焼熱を熱源とする直焚き再生器と、蒸発器で冷却または加温された熱媒体の温度を検出する第２の温度検出手段と、前記流路開閉手段及び前記バーナの燃焼を制御する制御手段とを備え、
前記バーナは、燃焼量を増減可能であり、前記制御手段は、前記第１の温度検出手段で検出した温度、及び前記差圧検出手段で検出した前記導入流路と前記排出流路との差圧に基づいて前記排熱焚き再生器への入熱量を演算し、該演算した排熱焚き再生器への入熱量と第２の温度検出手段で検出した熱媒体の温度とに応じて前記流路開閉手段の開閉及び前記バーナの燃焼量の増減を制御してなる吸収式冷温水機。
【請求項２】
前記排出流路の温度を検出する第３の温度検出手段を備え、前記制御手段は、前記第１の温度検出手段で検出した温度、前記第３の温度検出手段で検出した温度、及び前記差圧検出手段で検出した前記導入流路と前記排出流路との差圧に基づいて前記排熱焚き再生器への入熱量を演算し、該演算した排熱焚き再生器への入熱量と第２の温度検出手段で検出した熱媒体の温度とに応じて前記流路開閉手段の開閉及び前記バーナの燃焼量の増減を制御してなる吸収式冷温水機。
【請求項３】
前記バーナは、燃焼状態を無段階に連続的に増減可能であり、前記制御手段は、定格入熱量から、前記演算した排熱焚き再生器への入熱量を差し引いて求めた入熱量に対応する前記バーナの燃焼量を上限燃焼量とし、前記熱媒体の温度に応じ、前記上限燃焼量以下の範囲内で前記バーナの燃焼量を連続的に増減してなることを特徴とする請求項１または２に記載の吸収式冷温水機。
【請求項４】
前記バーナは、燃焼量を複数段で段階的に増減可能であり、前記制御手段は、定格入熱量から前記演算した排熱焚き再生器への入熱量を差し引いて求めた入熱量に最も近い入熱量となるバーナの燃焼量を上限燃焼量とし、前記熱媒体の温度に応じ、前記上限燃焼量以下の範囲内で前記バーナの燃焼量を段階的に増減してなることを特徴とする請求項１または２に記載の吸収式冷温水機。
【請求項５】
前記排熱焚き再生器の温度を検出する第４の温度検出手段と、前記直焚き再生器の温度を検出する第５の温度検出手段とを備え、前記制御手段は、前記第４の温度検出手段で検出した前記排熱焚き再生器の温度及び前記第５の温度検出手段で検出した前記直焚き再生器の温度のいずれか高い方の再生器温度が予め設定した設定温度以上になったとき、前記バーナの燃焼量を段階的に減らすことを特徴とする請求項４に記載の吸収式冷温水機。
【発明の詳細な説明】
【技術分野】
【０００１】
本発明は、吸収式冷温水機に係り、特に、排熱を熱源とする排熱焚き再生器とバーナの燃焼熱を熱源とする直焚き再生器とを備えた多熱源駆動型の吸収式冷温水機に関する。
【背景技術】
【０００２】
排熱を熱源とする排熱焚き再生器とバーナの燃焼熱を熱源とする直焚き再生器とを備えた多熱源駆動型の吸収式冷温水機は、省エネルギー性を得るため、通常、排熱を利用した駆動を優先的に行っている。例えば、空調システムにおいて、空調の要求があるとき、まず、排熱を利用して排熱焚き再生器により吸収式冷温水機を駆動し、空調負荷に対して排熱の熱量が足りない場合には、直焚き再生器のバーナを燃焼させて吸収式冷温水機の駆動を行う。このとき、空調負荷などの負荷に対応してバーナの燃焼の制御を行うため、吸収式冷温水機の蒸発器で冷却または加温された熱媒体の温度、つまり熱媒体が通流する熱媒体管路の蒸発器からの出口部分内の熱媒体の温度に応じてバーナの燃焼を制御している。
【０００３】
ここで、空調負荷などの負荷が大きい場合など、吸収式冷温水機は、排熱焚き再生器からの入熱量が不足すると、排熱焚き再生器での入熱量不足を直焚き再生器が補い、排熱焚き再生器と直焚き再生器の２つの再生器が駆動した状態となる。このとき、例えば、排熱焚き再生器において、減少していた排熱量が増大することによって入熱量が増大した場合などには、吸収式冷温水機への入熱量が過剰となる場合がある。このように入熱量が過剰になった場合、熱媒体管路の蒸発器からの出口部分内の熱媒体の温度に応じてバーナの燃焼を制御していると、入熱量が過剰になっていても熱媒体の温度が所定の温度以下に下がるまで、入熱量が過剰な状態が続くことになる。このため、排熱焚き再生器や直焚き再生器の温度や圧力が上昇し過ぎて再生器の温度異常となって吸収式冷温水機の運転が停止したり、排熱焚き再生器や直焚き再生器内の吸収液が過剰に濃縮されることで晶析し、再生器を構成する部材の腐蝕などが発生し易くなることなどによって保守点検作業の頻度が増すなど、吸収式冷温水機の信頼性に問題が生じる可能性がある。
【０００４】
排熱焚き再生器と直焚き再生器とを備えた多熱源駆動型の吸収式冷温水機において、立ち上がり時に排熱焚き再生器と直焚き再生器を同時に駆動させることによって生じる再生器温度の過剰な上昇を防ぐため、直焚き再生器の温度を検出する検出手段を設け、この検出手段で検出した温度が予め設定した設定温度になったら直焚き再生器のバーナの燃焼を停止して入熱量を制限することが提案されている（例えば、特許文献１参照）。
【０００５】
また、蒸発器で冷却または加温された熱媒体の温度に応じて、直焚き再生器のバーナの燃焼により駆動するレベル、排熱焚き再生器の排熱からの入熱量を調整しながら駆動するレベル、そして排熱焚き再生器及び直焚き再生器により駆動するレベルとに制御することで過剰な再生器への入熱を抑える吸収式冷温水機が提案されている。なお、排熱焚き再生器の排熱からの入熱量の調整は、排熱源となる機器類の出力などを調整することで行う（例えば、特許文献２参照）。
【０００６】
【特許文献１】特開平６−２８１２８８号公報（第２−３頁、第１図）
【特許文献２】特開２０００−２５７９７９号公報（第２−４頁、第１図）
【発明の開示】
【発明が解決しようとする課題】
【０００７】
ところが、特許文献１は、吸収式冷温水機の立ち上がり時間を短くするため、立ち上がり時に排熱焚き再生器と直焚き再生器とを同時に駆動させることによって生じる排熱焚き再生器や直焚き再生器などの温度の過剰な上昇を防ぐものである。また、排熱量が必ず１００％あることが前提であるため、定常運転時に排熱焚き再生器への入熱量の不足を補うために直焚き再生器を同時に駆動したときの入熱量の制御については何ら考慮されていない。
【０００８】
また、特許文献１のように直焚き再生器のバーナの燃焼及び停止を制御する場合、排熱の熱量や負荷などが変動していると、熱媒体の蒸発器からの出口温度と直焚き再生器の温度とで直焚き再生器のバーナの燃焼及び停止を制御することになるため、直焚き再生器がバーナの燃焼と停止を繰り返す頻度が高くなる場合がある。このため、直焚き再生器などの温度が断続的に過剰に上昇した状態が生じる場合があり、再生器の温度異常による運転の停止や、吸収液の晶析、再生器の腐蝕などの発生を抑えることはできず、吸収式冷温水機の信頼性を向上することはできない。
【０００９】
一方、特許文献２では、排熱焚き再生器の排熱からの入熱量の調整を排熱源の出力の調整で行うため、吸収式冷温水機の信頼性を向上するのに、排熱源となる機器類の出力や駆動が制限されることとなる。このように、一般的に吸収式冷温水機とは異なる目的で用いられている排熱源となる機器類の駆動を制限するような制御を行うことは好ましくない。このため、このような制御を行う吸収式冷温水機の使用は、実際には難しい。
【００１０】
本発明の課題は、吸収式冷温水機の信頼性を向上することにある。
【課題を解決するための手段】
【００１１】
本発明の吸収式冷温水機は、排熱を発生する機器からの排熱を熱源とする排熱焚き再生器と、この排熱焚き再生器へ熱源となる排熱を有する流体または排熱を回収した流体を導く導入流路と、排熱焚き再生器から熱源となる流体を排出する排出流路と、導入流路及び排出流路の少なくとも一方に設けられて排熱焚き再生器への熱源となる流体の通流及び遮断を制御する流路開閉手段と、導入流路の温度を検出する第１の温度検出手段と、導入流路と排出流路との差圧を検出する差圧検出手段と、バーナの燃焼熱を熱源とする直焚き再生器と、蒸発器で冷却または加温された熱媒体の温度を検出する第２の温度検出手段と、流路開閉手段の開閉及びバーナの燃焼を制御する制御手段とを備え、バーナは、燃焼量を増減可能であり、制御手段は、第１の温度検出手段で検出した温度、及び差圧検出手段で検出した導入流路と排出流路との差圧に基づいて排熱焚き再生器への入熱量を演算し、この演算した排熱焚き再生器への入熱量と第２の温度検出手段で検出した熱媒体の温度とに応じて流路開閉手段の開閉及びバーナの燃焼量の増減を制御する構成とすることにより上記課題を解決する。
【００１２】
さらに、排出流路の温度を検出する第３の温度検出手段を備え、制御手段は、第１の温度検出手段で検出した温度、第３の温度検出手段で検出した温度、及び差圧検出手段で検出した導入流路と排出流路との差圧に基づいて排熱焚き再生器への入熱量を演算し、この演算した排熱焚き再生器への入熱量と第２の温度検出手段で検出した熱媒体の温度とに応じて流路開閉手段の開閉及びバーナの燃焼量の増減を制御する構成とする。
【００１３】
このような構成とすれば、排熱焚き再生器への入熱量と第２の温度検出手段で検出した熱媒体の温度とに応じて流路開閉手段の開閉を制御することで排熱焚き再生器への入熱量を制御する。さらに、排熱焚き再生器への入熱量と第２の温度検出手段で検出した熱媒体の温度とに応じて燃焼量を増減可能なバーナの燃焼量の増減により直焚き再生器への入熱量を制御する。このため、排熱焚き再生器への入熱量が必要以上である場合に排熱焚き再生器への入熱を遮断できるのに加え、排熱焚き再生器と直焚き再生器を同時に運転するとき、演算された排熱焚き再生器への入熱量の不足分を補うのに必要な入熱量に対応してバーナの燃焼量を増減させることができ、各再生器への入熱量が過剰になるのを防ぐことができる。したがって、排熱の熱量や負荷が変動しても、各再生器への入熱量が過剰になり難く、各再生器の温度異常による運転の停止や、吸収液の晶析、再生器の腐蝕などの発生を抑えることができるため、吸収式冷温水機の信頼性を向上できる。
【００１４】
また、バーナは、燃焼状態を無段階に連続的に増減可能であり、制御手段は、定格入熱量から、演算した排熱焚き再生器への入熱量を差し引いて求めた入熱量に対応するバーナの燃焼量を上限燃焼量とし、熱媒体の温度に応じ、上限入熱量以下の範囲内でバーナの燃焼量を連続的に増減する構成とする。このような構成とすれば、直焚き再生器が燃焼状態を無段階に連続的に増減可能なバーナを有しているとき、演算された排熱焚き再生器への入熱量の不足分を補うのに必要な入熱量に対応して燃焼量を増減させることができ、吸収式冷温水機の信頼性を向上できる。
【００１５】
さらに、バーナは、燃焼量を複数段で段階的に増減可能であり、制御手段は、定格入熱量から、演算した排熱焚き再生器への入熱量を差し引いて求めた入熱量に最も近い入熱量に対応するバーナの燃焼量を上限燃焼量とし、熱媒体の温度に応じ、上限燃焼量以下の範囲内でバーナの燃焼量を段階的に増減する構成とする。このような構成とすれば、バーナが燃焼量を複数段で段階的に増減可能であるとき、演算された排熱焚き再生器への入熱量の不足分を補うのに必要な入熱量に対応して燃焼量を増減させることができ、吸収式冷温水機の信頼性を向上できる。
【００１６】
また、排熱焚き再生器の温度を検出する第４の温度検出手段と、直焚き再生器の温度を検出する第５の温度検出手段とを備え、制御手段は、第４の温度検出手段で検出した排熱焚き再生器の温度及び第５の温度検出手段で検出した直焚き再生器の温度のいずれか高い方の再生器温度が予め設定した設定温度以上になったとき、バーナの燃焼量を段階的に減らす構成とする。このような構成とすれば、バーナが燃焼量を複数段で段階的に増減可能であるとき、排熱焚き再生器への入熱量と直焚き再生器への入熱量の合計が定格入熱量を超えて入熱量が過剰になる可能性が有る場合でも、再生器温度が予め設定した設定温度以上になると、バーナの燃焼量を段階的に減らすため、各再生器への過剰な入熱を抑えることができる。
【発明の効果】
【００１７】
本発明によれば、吸収式冷温水機の信頼性を向上できる。
【発明を実施するための最良の形態】
【００１８】
（第１の実施形態）
以下、本発明を適用してなる吸収式冷温水機の第１の実施形態について図１及び図２を参照して説明する。図１は、本発明を適用してなる吸収式冷温水機の概略構成を示す図である。図２は、本発明を適用してなる吸収式冷温水機の排熱焚き再生器への入熱量と冷温水出口温度とによる排熱焚き再生器と直焚き再生器の入熱量制御を示す図である。なお、本実施形態では、排熱焚き再生器として、排ガスを直接再生器内に通流させることで入熱を得る再生器、すなわち排ガス焚き再生器を備えた多熱源駆動型の吸収式冷温水機を例として説明を行う。
【００１９】
本実施形態の吸収式冷温水機は、図１に示すように、排ガス焚き再生器１、直焚き再生器３、低温再生器５、凝縮器７、蒸発器９、吸収器１１、そして制御部１３などで構成されている。排ガス焚き再生器１は、燃焼による排ガスを発生する機器からの排ガスと稀溶液との間で熱交換を行い、排ガスが有する熱で稀溶液を加熱し冷媒蒸気を発生させるものである。このような排ガス焚き再生器１は、直焚き再生器３などよりも上に設置されている。
【００２０】
排ガス焚き再生器１には、燃焼による排ガスを発生する機器類から排ガスを排ガス焚き再生器１内の排ガスの流路に導く導入流路となる導入ダクト１５、そして、排ガス焚き再生器１内の排ガスの流路から排ガスを排出するための排出流路となる排出ダクト１７が連結されている。導入ダクト１５と排出ダクト１７とは、導入ダクト１５から分岐し、排出ダクト１７に合流してバイパス流路となるバイパスダクト１９で連結されている。導入ダクト１５とバイパスダクト１９との分岐部には、導入ダクト１５とバイパスダクト１９とに排ガスの流れを切り換えるための弁やダンパーなどの流路開閉手段である流路切換装置２１が設けられている。流路切換装置２１は、オン状態のとき排ガスを導入ダクト１５へ流し、オフ状態のとき排ガスをバイパスダクト１９へ流す。
【００２１】
バイパスダクト１９と排出ダクト１７との合流部よりも排ガスの流れに対して上流側の排出ダクト１７の部分には、排ガスの流れを遮断するための弁やダンパーなどの流路開閉手段である遮断装置２３が設けられている。遮断装置２３は、オン状態のとき開き、オフ状態のとき閉じて排出ダクト１７内の排ガスの流路を遮断する。導入ダクト１５の排ガス焚き再生器１近傍部分には、この導入ダクト１５の部分内の温度、つまり排ガス焚き再生器１に流入する排ガスの温度を検出する第１温度センサ２５が設けられている。排出ダクト１７の排ガス焚き再生器１近傍部分にも同様に、この排出ダクト１７の部分内の温度、つまり排ガス焚き再生器１から流出する排ガスの温度を検出する第３温度センサ２７が設けられている。
【００２２】
さらに、導入ダクト１５の排ガス焚き再生器１近傍部分内の圧力と排出ダクト１７の排ガス焚き再生器１近傍部分内の圧力との差圧を検出する差圧検出装置２９が設けられている。差圧検出装置２９は、導入ダクト１５の排ガス焚き再生器１近傍部分に設けられて、この導入ダクト１５の部分内の圧力を検出する圧力センサ２９ａと、排出ダクト１７の排ガス焚き再生器１近傍部分に設けられて、この排出ダクト１７の部分内の圧力を検出する圧力センサ２９ｂとを有している。
【００２３】
このような排ガス焚き再生器１には、吸収器１１で生成された希溶液を排ガス焚き再生器１内の稀溶液の流路に導く稀溶液管路３１が連結されている。稀溶液管路３１の吸収器１１からの出口部分には、稀溶液を送液するためのポンプ３３が設けられている。排ガス焚き再生器１には、排ガス焚き再生器１内の稀溶液または中間濃溶液が通流する溶液管路３５の一端が連結されている。溶液管路３５の他端は、直焚き再生器３に連結されている。排ガス焚き再生器１の上部には、排ガス焚き再生器１内で生成された冷媒蒸気が通流する第１冷媒蒸気管路３７の一端が連結されており、第１冷媒蒸気管路３７の他端は、気液分離器３９に連結されている。
【００２４】
直焚き再生器３は、バーナ３ａの燃焼によって排ガス焚き再生器１からの稀溶液または濃溶液を加熱するものであり、バーナ３ａには、バーナ３ａの燃焼及び停止を行うための燃料制御弁３ｂを備えた燃料供給管路３ｃが連結されている。バーナ３ａは、燃料制御弁３ｂの弁開度が連続的に調整できるものとなっているため、燃焼量を連続的に増減できる。直焚き再生器３は、排ガス焚き再生器１よりも低い位置に配設されている。直焚き再生器３の上部には、直焚き再生器３内で生成された冷媒蒸気と溶液混合液が通流する気液管路４３の一端が連結されており、気液管路４３の他端は、気液分離器３９内で開口している。
【００２５】
低温再生器５内には、気液分離器３９内と連通し、気液分離器３９内の冷媒蒸気が通流する熱交換用流路５ａが設置されている。熱交換用流路５ａには、低温再生器５で加熱された熱交換用流路５ａ内を通流する凝縮した冷媒液を凝縮器７に導く冷媒液管路４５が連結されている。また、図示していないが、低温再生器５と凝縮器７は、同一缶体内に結合されており、低温再生器５で発生した冷媒蒸気は凝縮器７で凝縮される。さらに、低温再生器５には、中間濃溶液管路４９を介して流入してきた中間濃溶液を、熱交換用流路５ａ内を通流する冷媒蒸気の熱で加熱して濃溶液とした後、吸収器１１に送るための濃溶液管路４７の一端が連結されている。濃溶液管路４７の他端は、吸収器１１に連結されている。また、気液分離器３９の底部に溜まった溶液を、低温再生器５に導くため、気液分離器３９には、中間濃溶液管路４９の一端が連結されている。中間濃溶液管路４９の他端は、低温再生器５に連結されている。
【００２６】
凝縮器７の内部には、冷却水が通流する冷却水管路５１に連結されて冷却水の流路の一部分を形成する熱交換流路７ａが設けられている。凝縮器７の底部には、冷媒蒸気が凝縮して液化した冷媒が通流する冷媒管路５３の一端が連結されている。冷媒管路５３の他端は、蒸発器９の内部に設けられた図示していない冷媒散布部に連結されている。蒸発器９の内部には、蒸発器９内で冷却または加温されて空調用の室内機などに送られる室内機用熱媒体、例えば水が通流する冷温水管路５５が連結されて、室内機用熱媒体となる水の流路の一部分を形成する熱交換流路９ａが設けられており、図示していない冷媒散布部が、熱交換流路９ａに冷媒を散布する。冷温水管路５５の蒸発器９からの出口部分には、冷温水管路５５の出口部分内を通流する水の温度を検出する第２温度センサ５７が設けられている。
【００２７】
吸収器１１は、図１には図示されていないが、実際には蒸発器９と連通しており、蒸発器９で発生した冷媒蒸気が吸収器１１に流入可能に構成されている。吸収器１１の内部には、冷却水管路５１に連結されて冷却水の流路の一部分を形成する熱交換流路１１ａが設けられている。また、吸収器１１の内部には、濃溶液管路４７が連結されて熱交換流路１１ａに濃溶液を散布する図示していない濃溶液散布部などが設けられている。吸収器１１の底部には、蒸発器９で生成された冷媒蒸気を濃溶液が吸収することで生成された希溶液を排ガス焚き再生器１に送るための稀溶液管路３１の一端が連結されている。
【００２８】
中間濃溶液管路４９には、稀溶液管路３１から分岐した分岐管路５９が合流している。分岐管路５９には、分岐管路５９内の稀溶液の通流を制御する弁６１が設けられている。また、中間濃溶液管路４９の、分岐管路５９との合流部よりも溶液の流れに対して上流側の部分には、稀溶液管路３１内を通流する稀溶液と、中間濃溶液管路４９内を通流する溶液との間で熱交換を行うための高温熱交換器６３が設けられている。なお、高温熱交換器６３は、稀溶液管路３１の分岐管路５９との分岐部よりも稀溶液の流れに対して下流側の部分に設けられている。
【００２９】
稀溶液管路３１のポンプ３３よりも稀溶液の流れに対して下流側の部分には、逆止弁６５が、さらに、稀溶液管路３１の逆止弁６１よりも稀溶液の流れに対して下流側で分岐管路５９との分岐部よりも上流側の部分には、稀溶液管路３１内を通流する稀溶液と濃溶液管路４７内を通流する濃溶液との間で熱交換を行う低温熱交換器６７などが設けられている。また、稀溶液管路３１の低温熱交換器６７と高温熱交換器６３との間の部分には、排ガス焚き再生器１に連続して、排ガス焚き再生器１の下流側に位置する熱交換器６９が設けられている。熱交換器６９は、排ガスと稀溶液との間で熱交換を行うものである。なお、冷却水管路５１は、吸収器１１から凝縮器７を通り図示していない冷却塔に冷却水が循環するように配管されている。
【００３０】
制御部１３は、第１温度センサ２５、第３温度センサ２７、第２温度センサ５７、差圧検出装置２９、流路切換装置２１及び遮断装置２３、そして燃料制御弁３ｂなどと、各々、配線７１を介して電気的に接続されている。
【００３１】
このような構成の吸収式冷温水機の排ガス焚き再生器及び直焚き再生器の入熱量の制御と本発明の特徴部について説明する。なお、制御部１３は、排ガスを発生する機器類からの駆動信号を受けていないとき、つまり排ガスが発生していないときには、流路切換装置２１及び遮断装置２３にオフ信号を発信して、排ガスをバイパスダクト１９に流すと共に、流路切換装置２１及び遮断装置２３によって導入ダクト１５、排ガス焚き再生器１、そして排出ダクト１７に至る排ガスの流路を閉鎖する。一方、制御部１３は、排ガスを発生する機器類からの駆動信号を受けると、冷温水の蒸発器９からの出口温度と、排ガス焚き再生器１への入熱量とに応じて流路切換装置２１及び遮断装置２３をオンオフし、排ガス焚き再生器１への排ガスの通流を制御する。ここでは、空調システムに用いられた吸収式冷温水機の制御部１３が排ガスを発生する機器類からの駆動信号を受けており、排熱を利用できるときに、冷房運転を行う場合について説明する。また、最大の熱量を得たときの排ガス焚き再生器１と最大能力で駆動したときの直焚き再生器３とは、共に、吸収式冷温水機の定格入熱量を単独で得ることができる。
【００３２】
制御部１３は、排ガスを発生する機器類からの駆動信号を受けているときに定常運転に入ると、第１温度センサ２５で検出した温度Ｔｄ１と第３温度センサ２７で検出した温度Ｔｄ２との温度差、つまり排ガス焚き再生器１に流入する排ガスと排ガス焚き再生器１から流出する排ガスとの温度差、そして差圧検出装置２９で検出した導入ダクト１５と排出ダクト１７との差圧ΔＰとに基づいて排ガス焚き再生器１の入熱量Ｉｇ１を算出する。
【００３３】
ここで、排ガス焚き再生器１の入熱量Ｉｇ１は、排ガスの流量と、排ガス焚き再生器１に流入する排ガスと排ガス焚き再生器１から流出する排ガスとの温度差とがわかれば以下の式（１）から算出できる。
【００３４】
Ｉｇ１＝Ｖ＊（Ｔｄ１−Ｔｄ２）＊Ｃｐ        …（１）
なお、Ｖは流量（Ｎｍ３／ｈ）、Ｃｐは比熱（ｋｃａｌ／Ｎｍ３・℃）である。
【００３５】
排ガス焚き再生器１に流入する排ガスの温度や排ガス焚き再生器１から流出する排ガスの温度は、第１温度センサ２５や第３温度センサ２７で検出できるが、排ガスの流量Ｖは、導入ダクト１５と排出ダクト１７との差圧ΔＰから算出する必要がある。本発明者らが実験的に、排ガスの流量Ｖと差圧ΔＰとの関係を検討したところ、流量Ｖは、以下の式（２）に示すように、差圧ΔＰのべき乗に比例し、そのべき数と係数は、排ガス焚き再生器１に流入する排ガスの温度Ｔｄ１と、排ガス焚き再生器１から流出する排ガスの温度Ｔｄ２の平均温度ｔの二次近似関数となる。
【００３６】
Ｖ＝Ｋ１＊ΔＰ＾Ｋ２                      …（２）
なお、Ｋ１、Ｋ２は、平均温度ｔの関係式として以下のように近似される。
Ｋ１＝ａ１＊ｔ＾２＋ａ２＊ｔ＋ａ３
Ｋ２＝ｂ１＊ｔ＾２＋ｂ２＊ｔ＋ｂ３
ここで、ａ１、ａ２、ａ３、ｂ１、ｂ２、ｂ３は、実験値を近似したときに得られる係数である。
【００３７】
このように、式（１）と式（２）から、排ガス焚き再生器１の入熱量Ｉｇ１は、以下の式（３）に示すように、差圧ΔＰ、排ガス焚き再生器１に流入する排ガスの温度Ｔｄ１、排ガス焚き再生器１から流出する排ガスの温度Ｔｄ２の関数となる。
【００３８】
Ｉｇ１＝ｆ（ΔＰ、Ｔｄ１、Ｔｄ２）            …（３）
制御部１３は、式（１）、（２）、（３）から算出した排ガス焚き再生器１の入熱量Ｉｇ１を、以下の式（４）のように、この吸収式冷温水機の定格入熱量Ｉｇ０から差し引いて、直焚き再生器３での上限入熱量Ｉｇ２ＭＡＸを算出する。
【００３９】
Ｉｇ２ＭＡＸ＝Ｉｇ０−Ｉｇ１                    …（４）
【００４０】
一方で、制御部１３は、第２温度センサ５７で検出した冷水の蒸発器９からの出口温度に応じて、排ガス焚き再生器１への排ガスの通流及び直焚き再生器３のバーナ３ａの燃焼状態を決定する。このとき、制御部１３には、冷水の蒸発器９からの出口温度に対応して予め設定された３つの設定温度として設定温度Ｔｃ１、Ｔｃ２、Ｔｃ３が入力されている。そして、制御部１３は、図２に示すように、Ｔｃ１＜Ｔｃ２＜Ｔｃ３であるとき、設定温度Ｔｃ２とＴｃ３との間で、冷水の蒸発器９からの出口温度、つまり冷水の出口温度に対して、バーナ３ａの燃焼量を式（２）で算出した上限入熱量Ｉｇ２ＭＡＸに対応するバーナ３ａの燃焼量、つまり上限燃焼量以下の範囲内で比例制御する。
【００４１】
制御部１３は、第２温度センサ５７で検出した冷水の出口温度と、設定温度とを比較し、冷水の出口温度が設定温度Ｔｃ１未満のときには、流路切換装置２１と遮断装置２３にオフ指令信号を発信して排熱焚き再生器１に排ガスが通流しない状態とすると共に、直焚き再生器３の燃料制御弁３ｂに燃焼停止指令信号を発信する。これにより、排ガス焚き再生器１、直焚き再生器３共に入熱つまりインプットが無い状態となる。冷水の出口温度が設定温度Ｔｃ１以上Ｔｃ２未満のときには、流路切換装置２１と遮断装置２３にオン指令信号を発信して排熱焚き再生器１に排ガスを通流させ、直焚き再生器３のバーナ３ａは、燃焼停止指状態とする。これにより、排ガス焚き再生器１のみにインプットが生じた状態となる。
【００４２】
制御部１３は、冷水の出口温度が設定温度Ｔｃ２以上Ｔｃ３以下のときは、排熱焚き再生器１に排ガスを通流させると共に、直焚き再生器３のバーナ３ａの燃焼量を、最小燃焼量、例えば最大燃焼量の２５％から、上限入熱量Ｉｇ２ＭＡＸに対応する上限燃焼量の間で冷水の出口温度に比例させて増減する制御を行っている。冷水の出口温度が設定温度Ｔｃ３以上のときは、排熱焚き再生器１に排ガスを通流させると共に、直焚き再生器３のバーナ３ａを上限入熱量Ｉｇ２ＭＡＸに対応する上限燃焼量で燃焼させる。例えば、定格入熱量に対して排ガス焚き再生器１の入熱量が定格入熱量の２５％のとき、上限入熱量Ｉｇ２ＭＡＸは定格入熱量の７５％となり、直焚き再生器３のバーナ３ａの上限燃焼量は、バーナ３ａの最大燃焼量の７５％となる。したがって、制御部１３は、冷水の出口温度が設定温度Ｔｃ２以上Ｔｃ３以下のときは、バーナ３ａの燃焼量を、バーナ３ａの最大燃焼量の２５％から７５％の間で、冷水の出口温度に比例させて増減する制御を行う。冷水の出口温度が設定温度Ｔｃ３以上のときは、バーナ３ａを最大燃焼量の７５％で燃焼させる。
【００４３】
なお、暖房運転の場合、蒸発器９からの出口温度、つまり温水温度に対する設定温度の数値の違い、そして温水温度が下がると燃焼量を増加させることを除けば冷房運転と同様の制御となる。また、排熱を利用できない場合には、排ガス焚き再生器１の流路切換装置２１及び遮断装置２３が常時オフ状態になっていることを除き、直焚き再生器３の燃料制御弁３ｂの調整によるバーナ３ａの燃焼量の制御が同様に行われる。
【００４４】
このように、本実施形態の吸収式冷温水機では、排ガス焚き再生器１への入熱量と第２温度センサ５７で検出した熱媒体の温度とに応じて流路切換装置２１及び遮断装置２３の動作を制御することで排ガス焚き再生器１への入熱量を制御している。さらに、排ガス焚き再生器１への入熱量と第２温度センサ５７で検出した冷水の温度とに応じて直焚き再生器３のバーナ３ａの燃焼量を連続的に増減することにより直焚き再生器３への入熱量を制御している。このため、排ガス焚き再生器１への入熱量を制御できるのに加えて、排ガス焚き再生器１への入熱量の定格入熱量に対する不足分を補うようにバーナ３ａの燃焼量を増減して直焚き再生器３への入熱量を増減することで、各再生器１、３での入熱量が過剰になるのを防ぐことができる。したがって、排熱の熱量や負荷が変動しても、各再生器への入熱量が過剰になり難く、各再生器の温度や圧力異常による運転の停止や、吸収液の晶析による腐蝕などの発生を抑えることができ、吸収式冷温水機の信頼性を向上できる。
【００４５】
さらに、直焚き再生器３のバーナ３ａは、燃焼量を連続的に増減可能であり、バーナが燃焼及び停止の２段階によって直焚き再生器の入熱量を制御した場合のように、直焚き再生器などの温度が断続的に過剰に上昇した状態となり難くい。
【００４６】
加えて、バーナが燃焼及び停止の２段階によって直焚き再生器の入熱量を制御した場合に生じる比較的短時間での再生器の温度と圧力の変動を抑制することができ、吸収式冷温水機の耐久性を向上できる。
【００４７】
さらに、直焚き再生器３のバーナ３ａの燃焼量を連続的に増減させて入熱量を増減できるため、よりきめ細かな能力制御が可能となり、空調負荷などの負荷に対応して吸収式冷温水機の熱媒体の冷却または加温能力の制御精度を向上できる。また、空調負荷などの負荷に対応して吸収式冷温水機の熱媒体の冷却または加温能力の制御精度を向上できることにより、空調出力を安定化でき、さらに、バーナの燃料消費を抑えることができ、省エネルギー性をより向上できる。
【００４８】
また、本実施形態では、直焚き再生器３のバーナ３ａの燃焼量の比例制御範囲における最小燃焼量を最大燃焼量の２５％としている。また、蒸発器９からの冷温水の出口温度に対する設定温度を各々３つ設定している。しかし、直焚き再生器３バーナ３ａの燃焼量の比例制御範囲の最小燃焼量や、冷温水の出口温度に対する設定温度の数は、適宜設定できる。
【００４９】
また、本実施形態では、制御部１３は、式（１）、（２）、（３）によって、第１温度センサ２５で検出した温度Ｔｄ１と第３温度センサ２７で検出した温度Ｔｄ２との温度差、及び、検出装置２９で検出した導入ダクト１５と排出ダクト１７との差圧ΔＰに基づいて排ガス焚き再生器１の入熱量Ｉｇ１を算出する際、流量Ｖの算出において、差圧ΔＰと共に、排ガス焚き再生器１に流入する排ガスの温度つまり第１温度センサ２５で検出した温度Ｔｄ１と、排ガス焚き再生器１から流出する排ガスの温度つまり第３温度センサ２７で検出した温度Ｔｄ２とを用いている。
【００５０】
しかし、本願発明者らが検討を行なったところ、排ガス焚き再生器１から流出する排ガスの温度Ｔｄ２は、排ガス焚き再生器１に流入する排ガスの温度Ｔｄ１に対してほぼ一定の値となることがわかった。このため、排ガス焚き再生器１に流入する排ガスの温度つまり第１温度センサ２５で検出した温度Ｔｄ１を検出すれば、排ガス焚き再生器１から流出する排ガスの温度つまり第３温度センサ２７で検出した温度Ｔｄ２を推定することができる。したがって、制御精度上の問題がない場合には、排ガス焚き再生器１の入熱量Ｉｇ１の算出において、排ガス焚き再生器１から流出する排ガスの温度Ｔｄ２を用いず、制御部１３が、式（５）のように、差圧ΔＰと温度Ｔｄ１の関数として排ガス焚き再生器１の入熱量Ｉｇ１を算出する構成にすることもできる。
【００５１】
Ｉｇ１＝Ｃ１+Ｃ２＊ΔＰ+Ｃ３＊Ｔｄ１+Ｃ４＊ΔＰ２+Ｃ５＊Ｔｄ１２  …（５）
なお、Ｃ１、Ｃ２、+Ｃ３、Ｃ４、Ｃ５は、Ｉｇ１を変数ΔＰ、Ｔｄ１の線形回帰モデルで表すことができると考え、実験データに基づいて統計的手法により決定した係数である。
【００５２】
（第２の実施形態）
以下、本発明を適用してなる吸収式冷温水機の第２の実施形態について図３乃至図５を参照して説明する。図３は、本発明を適用してなる吸収式冷温水機の概略構成を示す図である。図４は、本発明を適用してなる吸収式冷温水機の排熱焚き再生器への入熱量に基づく直焚き再生器の上限燃焼量の決定方法を説明する図である。図５は、本発明を適用してなる吸収式冷温水機の冷温水出口温度と、排熱焚き再生器の入熱量に応じて決定した直焚き再生器の上限燃焼量とに基づく排熱焚き再生器と直焚き再生器の入熱量制御の概念を示す模式図である。なお、本実施形態では、第１の実施形態と同一の構成などには同じ符号を付して説明を省略し、第１の実施形態と相違する特徴部などについて説明する。
【００５３】
本実施形態が第１の実施形態と相違する点は、直焚き再生器が有するバーナが低燃焼、中燃焼、そして高燃焼の３段階の燃焼量と、燃焼停止との４段階に燃焼状態を切り換えることができることにある。さらに、排ガス焚き再生器と直焚き再生器に各々温度センサを設けたことにある。すなわち、本実施形態の吸収式冷温水機では、直焚き再生器３が有するバーナ３ａは、、燃料制御弁３ｂが、閉状態を含め４段階の開度に調整可能であることにより、燃焼停止と、低燃焼、中燃焼、及び高燃焼の３段階の燃焼量とからなる４段階の燃焼状態に切り換えることができる。さらに、本実施形態の吸収式冷温水機は、図３に示すように、排ガス焚き再生器１に排ガス焚き再生器１の温度を検出する第４温度センサ７３が、直焚き再生器３に直焚き再生器３の温度を検出する第５温度センサ７５が設けられている。
【００５４】
第４温度センサ７３と第５温度センサ７５も、他のセンサなどと同様、配線７１を介して制御部１３に電気的に接続されている。第４温度センサ７３は、排ガス焚き再生器１の温度として、排ガス焚き再生器１内の溶液の温度、または、排ガス焚き再生器１内に形成された排ガスの流路内の温度などを検出するものである。第５温度センサ７５は、直焚き再生器３の温度として、直焚き再生器３内の溶液の温度、または、直焚き再生器３内に形成された燃焼室や煙管内の温度などを検出するものである。
【００５５】
このような本実施形態の吸収式冷温水機では、制御部１３は、排ガスを発生する機器類からの駆動信号を受けているときに定常運転に入ると、第１の実施形態と同様に、第１温度センサ２５で検出した温度Ｔｄ１と第３温度センサ２７で検出した温度Ｔｄ２との温度差、つまり排ガス焚き再生器１に流入する排ガスと排ガス焚き再生器１から流出する排ガスとの温度差、そして差圧検出装置２９で検出した導入ダクト１５と排出ダクト１７との差圧ΔＰとに基づいて、式（１）から排ガス焚き再生器１の入熱量Ｉｇ１を算出する。制御部１３は、式（１）から算出した排ガス焚き再生器１の入熱量Ｉｇ１を、式（２）のように、この吸収式冷温水機の定格入熱量Ｉｇ０から差し引いて、直焚き再生器３に必要とされる入熱量Ｉｇ２を算出する。
【００５６】
ここで、制御部１３は、求めた直焚き再生器３に必要とされる入熱量Ｉｇ２から、この入熱量Ｉｇ２に最も近い入熱量が得られる直焚き再生器３のバーナ３ａの燃焼量を選択し、直焚き再生器３のバーナ３ａの上限燃焼量を決定する。例えば、図４に示すように、バーナ３ａの燃焼量が、最大燃焼量である高燃焼、高燃焼の７０％の燃焼量である中燃焼、高燃焼の４０％の燃焼である低燃焼量に切り換えられる場合、高燃焼量のときに吸収式冷温水機の定格入熱量が得られるとすると、中燃焼で定格入熱量の７０％の入熱量が、低燃焼で定格入熱量の４０％の入熱量が得られることになる。したがって、排ガス焚き再生器１の入熱量Ｉｇ１が定格入熱量の４０％のとき、直焚き再生器３に必要とされる入熱量Ｉｇ２は定格入熱量の６０％の入熱量となるため、制御部１３は、直焚き再生器３のバーナ３ａの上限燃焼量として、定格入熱量の６０％である直焚き再生器３に必要とされる入熱量Ｉｇ２に最も近い７０％の入熱量が得られる中燃焼を選択する。
【００５７】
この例における制御部１３が排ガス焚き再生器１の入熱量Ｉｇ１に対して選択する直焚き再生器３のバーナ３ａの上限燃焼量を示したのが図４である。すなわち、制御部１３は、排ガス焚き再生器１の入熱量Ｉｇ１が定格入熱量の３０％未満である場合には、直焚き再生器３のバーナ３ａの上限燃焼量として高燃焼を選択し、排ガス焚き再生器１の入熱量Ｉｇ１が定格入熱量の３０％以上６０％未満である場合には、直焚き再生器３のバーナ３ａの上限燃焼量として中燃焼を選択し、排ガス焚き再生器１の入熱量Ｉｇ１が定格入熱量の６０％以上１００％未満である場合には、直焚き再生器３のバーナ３ａの上限燃焼量として低燃焼を選択し、そして、排ガス焚き再生器１の入熱量Ｉｇ１が定格入熱量である場合には、直焚き再生器３のバーナ３ａの燃焼停止を選択する。
【００５８】
この後、制御部１３は、図５に示すように、第２温度センサ５７で検出した冷水の蒸発器９からの出口温度に応じて、選択した直焚き再生器３のバーナ３ａの上限燃焼量以下の範囲内で段階的に燃焼量の増減を行うか、または、流路切換装置２１及び遮断装置２３の開閉により排ガス焚き再生器１への排ガスの通流及び遮断を制御することで、入熱量を段階的に増減する。このとき、制御部１３には、冷水の蒸発器９からの出口温度に対応して予め設定された４つの設定温度Ｔｃ１、Ｔｃ２、Ｔｃ３、Ｔｃ４が入力されている。なお、Ｔｃ１＜Ｔｃ２＜Ｔｃ３＜Ｔｃ４とする。
【００５９】
制御部１３は、第２温度センサ５７で検出した冷水の出口温度と、この冷水の出口温度に対する設定温度とを比較し、例えば排ガス焚き再生器１の入熱量Ｉｇ１に基づいて直焚き再生器３のバーナ３ａの上限燃焼量として中燃焼が選択されているとき、冷水の出口温度が設定温度Ｔｃ３以上Ｔｃ４未満であると、直焚き再生器３のバーナ３ａに低燃焼指令信号を発信し、直焚き再生器３のバーナ３ａの燃焼状態を低燃焼とする。冷水の出口温度が設定温度Ｔｃ４以上に上昇すると、制御部１３は直焚き再生器３のバーナ３ａに中燃焼指令信号を発信し、直焚き再生器３のバーナ３ａの燃焼状態を中燃焼とする。
【００６０】
また、冷水の出口温度が設定温度Ｔｃ３未満になると、制御部１３は直焚き再生器３のバーナ３ａに燃焼停止指令信号を発信し、直焚き再生器３のバーナ３ａの燃焼を停止する。これにより、直焚き再生器３へのインプットが無くなる。さらに、冷水の出口温度が設定温度Ｔｃ２未満になると、直焚き再生器３のバーナ３ａの燃焼が停止しているので、制御部１３は排ガス焚き再生器１の流路切換装置２１と遮断装置２３とにオフ指令信号を発信し、流路切換装置２１を切り換えてバイパスダンパ１９の流路を開き、導入ダンパ１５の流路を閉じた状態とすると共に、遮断装置２３を閉じて排出ダンパ１７の流路を閉じた状態とする。これにより、直焚き再生器３へのインプットと共に、排ガス焚き再生器１へのインプットが無くなる。
【００６１】
一方、冷水の出口温度が設定温度Ｔｃ２以上になると、制御部１３は排ガス焚き再生器１の流路切換装置２１と遮断装置２３とにオン指令信号を発信し、流路切換装置２１を切り換えてバイパスダンパ１９の流路を閉じ、導入ダンパ１５の流路を開いた状態とすると共に、遮断装置２３を開いて排出ダンパ１７の流路を開いた状態とする。冷水の出口温度が設定温度Ｔｃ３以上に上昇すると、制御部１３は、直焚き再生器３のバーナ３ａに低燃焼指令信号を発信し、低燃焼で直焚き再生器３のバーナ３ａの燃焼を開始する。
【００６２】
このような制御部１３の排ガス焚き再生器１での入熱量に応じて決定した直焚き再生器３のバーナ３ａの上限燃焼量と冷水の出口温度とに基づく入熱量制御の概念を模式的に示したのが図５である。ここまで例示した制御の流れは、図５において破線の矢印で示した流れである。なお、図５では、冷水の出口温度に対する設定温度として設定温度Ｔｃ１、Ｔｃ２、Ｔｃ３、Ｔｃ４を示している。しかし、入熱量を増加させるときの設定温度と入熱量を減少させるときの設定温度とに幅を持たせる、例えば入熱量を増加させるときの設定温度Ｔｃ１、Ｔｃ２、Ｔｃ３、Ｔｃ４、入熱量を減少させるときの設定温度Ｔｃ１’、Ｔｃ２’、Ｔｃ３’、Ｔｃ４’、Ｔｃ１’＜Ｔｃ１、Ｔｃ２’＜Ｔｃ２、Ｔｃ３’＜Ｔｃ３、Ｔｃ４’＜Ｔｃ４などとすることもできる。このように入熱量を増加させるときの設定温度と入熱量を減少させるときの設定温度とに幅を持たせることにより、直焚き再生器３のバーナ３ａの燃焼状態の変更が頻繁に生じるのを防ぐことができる。
【００６３】
また、制御部１３は、排ガス焚き再生器１での入熱量が変化した場合には、図４に示すように、排ガス焚き再生器１での入熱量に応じて直焚き再生器３の上限燃焼量を決定し、決定した上限燃焼量以下の範囲内で、図５に示したように、直焚き再生器３の燃焼量を段階的に増減する。
【００６４】
ところで、本実施形態の吸収式冷温水機では、図４に示すように、例えば排ガス焚き再生器１での入熱量が定格入熱量の４０％であるため、直焚き再生器３のバーナ３ａが中燃焼以下で燃焼すること選択されているとき、冷水の出口温度に応じて中燃焼が選択されると、直焚き再生器３の入熱量は、定格入熱量の７０％となる。このような場合、吸収式冷温水機には、定格入熱量を越えた入熱量、この例では１１０％の入熱量が有ることになる。このように、直焚き再生器３が有するバーナ３ａの燃焼量の切り換え段数や、冷水の出口温度に対する設定温度の数などによっては、吸収式冷温水機への入熱量が定格入熱量を越え、入熱量が過剰になる場合がある。
【００６５】
これに対して、本実施形態の吸収式冷温水機では、図３に示すように、排ガス焚き再生器１の温度を検出する第４温度センサ７３、直焚き再生器３の温度を検出する第５温度センサ７５を設けている。そして、制御部１３は、第４温度センサ７３で検出した排ガス焚き再生器１の温度、そして第５温度センサ７５で検出した直焚き再生器３の温度のうち、高い方の温度を再生器温度とし、予め制御部１３に入力され設定されている再生器温度に対する設定温度Ｔｇ１と比較する。制御部１３は、再生器温度がＴｇ１以上になると、直焚き再生器３のバーナ３ａの燃焼量を１段下げるか、または、直焚き再生器３のバーナ３ａが燃焼停止している場合には、流路切換装置２１及び遮断装置２３により排ガス焚き再生器１への排ガスの通流を遮断する。これにより、排ガス焚き再生器１や直焚き再生器３への入熱量が過剰になるのを防ぐことができる。
【００６６】
なお、再生器温度に対する設定温度を例えばＴｇ１、Ｔｇ２、Ｔｇ３…、Ｔｇ１＜Ｔｇ２＜Ｔｇ３＜…といったように複数設け、各設定温度以上になる毎に段階的に直焚き再生器３のバーナ３ａの燃焼量を下げるような制御を行うこともできる。また、バーナ３ａの燃焼量の切り換え段数や、冷水の出口温度に対する設定温度の数などによって、吸収式冷温水機への入熱量が過剰になりにくい場合には、第４温度センサ７３や第５温度センサ７５を設けて再生器温度に応じて入熱量を下げる制御を行う必要はない。
【００６７】
このように、本実施形態の吸収式冷温水機でも、第１の実施形態と同様の効果を得ることができる。
【００６８】
さらに、制御部１３が、第４温度センサ７３で検出した排ガス焚き再生器１の温度、そして第５温度センサ７５で検出した直焚き再生器３の温度のうち、高い方の温度を再生器温度とし、この再生器温度が予め制御部１３に入力され設定されている再生器温度に対する設定温度になると入熱量を１段下げる制御を行っている。これにより、本実施形態のように段階的に燃焼量を制御可能なバーナを有する直焚き再生器を備えた吸収式冷温水機において、直焚き再生器が有するバーナの燃焼量の切り換え段数や、冷水の出口温度に対する設定温度の数などによって、吸収式冷温水機への入熱量が過剰になるの抑えることができる。
【００６９】
また、本実施形態では、直焚き再生器３バーナ３ａの燃焼状態が燃焼停止を含めて４段階に切り換え可能であり、また、蒸発器９からの冷温水の出口温度に対する設定温度及び再生器温度に対する設定温度を各々４つ設定している。しかし、直焚き再生器３バーナ３ａの燃焼状態の切り換え段数や、冷温水の出口温度に対する設定温度及び再生器温度に対する設定温度の数は、適宜設定できる。
【００７０】
また、第１及び第２の実施形態では、室内機用熱媒体として水を例示したが、室内機用熱媒体としては水以外の様々な冷媒を用いることもできる。
【００７１】
また、本発明は、第１及び第２の実施形態の構成の吸収式冷温水機に限らず、排熱焚き再生器と直焚き再生器を備えた様々な構成の多熱源駆動型の吸収式冷温水機に適用することができる。
【図面の簡単な説明】
【００７２】
【図１】本発明を適用してなる吸収式冷温水機の第１の実施形態の概略構成を示す図である。
【図２】本発明を適用してなる吸収式冷温水機の第１の実施形態における排ガス焚き再生器への入熱量と冷温水出口温度とによる排熱焚き再生器と直焚き再生器の入熱量制御を示す図である。
【図３】本発明を適用してなる吸収式冷温水機の第２の実施形態の概略構成を示す図である。
【図４】本発明を適用してなる吸収式冷温水機の第２の実施形態における排熱焚き再生器への入熱量に基づく直焚き再生器の燃焼量の決定方法を説明する図である。
【図５】本発明を適用してなる吸収式冷温水機の第２の実施形態における冷温水出口温度と、排熱焚き再生器の入熱量に応じて決定した直焚き再生器の燃焼量とに基づく排熱焚き再生器と直焚き再生器の入熱量制御の概念を示す模式図である。
【符号の説明】
【００７３】
１  排ガス焚き再生器
３  直焚き再生器
３ａ  バーナ
３ｂ  燃料制御弁
９  蒸発器
１３  制御部
１５  導入ダクト
１７  排出ダクト
１９  バイパスダクト
２１  流路切換装置
２３  遮断装置
２５  第１温度センサ
２７  第３温度センサ
２９  差圧検出装置
５７  第２温度センサ
【図１】
2006090682.tif 000003
【図２】
2006090682.tif 000004
【図３】
2006090682.tif 000005
【図４】
2006090682.tif 000006
【図５】
2006090682.tif 000007